(57)【要約】【課題】容易に開閉することができるとともに、ヒンジ部の破損を抑制し、水の浸入を防ぐとともに、ヒンジ部に作用する力によって、蓋体の本体や防水パッキンが破損したり、変形してしまったりするのを抑制し、開閉を繰り返しても前記蓋体と前記蓋体が係合される凹部との間隙から水が浸入するのを抑制する。【解決手段】外面側に配置された外側部材６１と、内面側に配置された内側部材６２とが組み合わされており、防水パッキン６３とヒンジ部６４とが連結部６４３を介して一体成形されており、連結部６４３が外側部材６１と内側部材６２に挟まれて固定されているとともに、ヒンジ部６４が内側部材６２を貫通している防水蓋体６。【選択図】図６
2009289638.tif 000002
【特許請求の範囲】
【請求項１】
機器の外面に形成された開口部に着脱可能に係合される防水蓋体であって、
本体部と、
前記本体部の外周に少なくとも一部が前記外周より突出されて配置された防水パッキンと、
前記開口部の内側に形成されている係合部に摺動又は回動の少なくとも一方が可能となるように係合された柱形状のヒンジ部とを有し、
前記本体部は外面側に配置された外側部材と、内面側に配置された内側部材とを組み合わせることで形成されており、
前記防水パッキンと前記ヒンジ部とは連結部を介して一体成形されており、
前記連結部が前記外側部材と前記内側部材に挟まれて固定されているとともに、前記ヒンジ部が前記内側部材を貫通していることを特徴とする防水蓋体。
【請求項２】
前記外側部材と前記内側部材とはねじにて締結されており、
前記ねじが前記連結部を貫通している請求項１に記載の防水蓋体。
【請求項３】
前記内側部材の前記外側部材と接触する面の周縁部は段差が形成されており、
前記防水パッキンが前記段差に圧入されている請求項１又は請求項２に記載の防水蓋体。
【請求項４】
前記係合部は前記ヒンジ部が貫通する貫通孔を有しており、
前記ヒンジ部の先端には、前記ヒンジ部が軸方向に摺動するときに前記貫通孔と当接し前記ヒンジ部が抜けるのを抑制する抜け止め部が一体連結されていることを特徴とする請求項１から請求項３のいずれかに記載の防水蓋体。
【請求項５】
前記抜け止め部は前記ヒンジ部の中心軸に垂直な断面の断面形状と同じ形状を有しており、
前記抜け止め部は先端がヒンジ部の前記断面と同じか小さいテーパー形状を有している請求項４に記載の防水蓋体。
【請求項６】
前記ヒンジ部は前記抜け止め部が前記貫通孔の辺縁部と当接したときに、前記本体部の全体が前記機器の外壁面より外側に位置される長さで形成されている請求項４又は請求項５に記載の防水蓋体。
【請求項７】
前記ヒンジ部は円柱形状であることを特徴とする請求項１から請求項６のいずれかに記載の防水蓋体。
【発明の詳細な説明】
【技術分野】
【０００１】
本発明は、電子機器に形成された開口部と係合される蓋体に関し、特に、前記蓋体と前記開口部との係合隙間から電子機器の内部に水が浸入するのを防ぐ防水蓋体に関するものである。
【背景技術】
【０００２】
近年、ＴＶ受像機、ラジオ受信機、ＣＤプレーヤ等の電子機器が、プールサイド、浴室、雨天時の屋外等水濡れしやすい場所で使用されることが増えている。前記電子機器は、内部へ水が浸入すると、故障の原因となる。このためこれらの電子機器では筐体の内部に水が浸入するのを防ぐため、防水処理が施されている。防水処理としては、前記筐体の外部に面している部分の嵌合部に防水パッキンを配置することで、筐体内部に水が侵入するのを防いでいる。
【０００３】
また、前記電子機器は充電器端子、ヘッドホン端子等の外部機器と接続する端子やメモリカードスロット、ディスクスロット等が設けられており、これらの端子等からの筐体内部への水の浸入を防ぐために、前記端子やスロットを開口部の内部に配置し、開口部と水密に係合される蓋体が用いられている。
【０００４】
前記電子機器は前記蓋体が開かれたときに前記端子又はスロット等にアクセスすることができる。また前記蓋体を前記開口部に係合させることで、前記電子機器への端子及びスロット等の隙間から水の浸入が抑制される
従来の防水機能を備えた蓋体及び蓋体を備えた電子機器の詳細について、図面を参照して説明する。図１５は従来の電子機器の一例であるＴＶ受像機の斜視図であり、図１６は図１５に示すＴＶ受像機の凹部及び蓋体の平面図であり、図１７は図１５に示すＴＶ受像機の断面図である。
【０００５】
図１５、図１６に示すように、ＴＶ受像機は、筐体１と、筐体内部に配置された液晶表示装置２と、ヘッドフォン端子３と、充電用端子４と、メモリカードスロット５と、蓋体９６とを有している。筐体１は樹脂製の正面部材１１と、樹脂製の背面部材１２とを組み合わせた箱形状を有するものであり、内部に液晶表示装置２、基板（不図示）、バッテリー（不図示）等が封入されている。正面部材１１と背面部材１２との接合部には防水パッキン１３が配置されており、接合部より筐体内部に水が浸入しないように組み立てられている。
【０００６】
筐体１の正面部材１１は内部に配置された液晶表示装置２に映し出される映像を観賞するための窓部１１１を備えている。正面部材１１には窓部１１１を覆い、窓部１１１より水が浸入するのを防ぐための透明部材が取り付けられている。
【０００７】
図１６（Ａ）に示すように、背面部材１２の側部には長手方向両端部が円弧状に形成された楕円形の開口部１２２及び底面１２３を有する凹部１２１が形成されている。底面１２３にはヘッドフォン端子３、充電用端子４及びメモリカードスロット５が配置されているとともに、蓋体９６の後述するヒンジ部９６３が貫通するヒンジ孔１２４が形成されている。
【０００８】
蓋体９６は長手方向両端部が半円柱状に形成された直方体形状を有するものであり、凹部１２１に嵌合される。図１６（Ｂ）、図１７に示すように、蓋体９６は本体部９６１と、防水パッキン９６２と、ヒンジ部９６３とを備えている。
【０００９】
本体部９６１は筐体１の背面部材１２と同じ樹脂で形成されている。図１６に示すように、本体部９６１は側面に、全周にわたって形成された凹溝９６４が形成されている。凹溝９６４には防水パッキン９６２が配置されている。防水パッキン９６２はエラストマー、シリコンゴム等の弾性変形可能な材料で形成されている。防水パッキン９６２は本体部９６１の外周長さよりも短く形成されており、一度、拡げて本体部９６１の側面を囲むように配置し、凹溝９６４に落とし込んで取り付けられている。
【００１０】
ヒンジ部９６３は本体部９６１の裏面側（凹部１２１に嵌合されたときに、凹部１２１側）の本体部９６１の長手方向一方の端部に近い部分より突出し、先端に抜け止め部９６５が形成されている。ヒンジ部９６３は本体部９６１と一体化されて固定されているものであり、ヒンジ部９６３はエラストマーのような弾性変形可能な材料で形成されている。本体部９６１とヒンジ部９６３とは異なる材料で形成されている。これら異なる材料の部材を一体成形するために、まず樹脂を射出成型（一次成型）で本体部９６１を成型した後、金型、射出材料を換えてヒンジ部９６３を射出成型（二次成型）する二色成型を採用している。
【００１１】
蓋体９６の詳細について、さらに詳しく説明する。図１７に示すように、蓋体９６はヒンジ部９６３がヒンジ孔１２４と回転可能となるように筐体１の内部に挿入されている。ヒンジ部９６３の先端にはヒンジ部９６３よりも大きな外径を有する抜け止め部９６５が備えられている。
【００１２】
蓋体９６は凹部１２１に嵌められるとき、防水パッキン９６２が蓋体９６と凹部１２１との間隙で圧迫されて変形される。防水パッキン９６２が変形されることで、蓋体９６の凹溝９６４及び凹部１２１の側面との接触面積が大きくなるとともに接触圧力（耐水圧力）が高くなり、凹部１２１と蓋体９６とで囲まれた空間は外部より水が浸入しにくい水密な状態に維持される。
【００１３】
蓋体９６を凹部１２１より引き出すことで、凹部１２１の底部１２３に配置されているヘッドフォン端子３、充電用端子４及びメモリカードスロット５が外部に露出される。蓋体９６を引き出すと、ヒンジ部９６３の筐体１の内部に収納されている部分が引き出される。このとき、ヒンジ孔１２４の周囲と抜け止め部９６５とが接触し、蓋体９６の引き出しが制限される。なお、ヒンジ部９６３の長さは、蓋体９６を引き出したときに、蓋体９６が完全に凹部１２１よりはみ出る長さである。
【００１４】
たとえば、充電用端子４に充電器を接続し充電する場合、蓋体９６が凹部１２１より完全に引き出される。充電用端子４に充電器を接続する場合やヘッドフォン端子３にヘッドフォンのプラグを接続する場合は接続した状態を長時間維持される。そこで、蓋体９６が邪魔にならないように引き上げた蓋体９６をヒンジ部９６３を軸にして回転させる。これにより、ヘッドフォンのプラグをヘッドフォン端子３に、充電器を充電用端子４に容易に接続することができるとともに、蓋体９６、筐体１に無理な力が作用するのを抑制することが可能である。
【００１５】
一方、メモリカードスロット５へのメモリカードの着脱動作のような短時間で完了する動作の場合、メモリカードを挿入する或いは取り出す間だけ蓋体９６をメモリカードスロット５よりずらすだけでよい。この場合、ヒンジ部９６３を湾曲させて蓋体９６を開き戸様に動かし、凹部１２１のメモリカードを挿入或いは取り出しを行えばよい。ヒンジ部９６３は弾性変形可能な材料で形成されているので、ヒンジ部９６３が湾曲するように蓋体９６を開けた場合であっても、蓋体９６、筐体１及びヒンジ部９６３に無理な力が作用しにくく、破損するのを抑制することが可能である。
【００１６】
また、上述した防水パッキンのように、変形させることで防水パッキンと部材との接触圧力を上げ、防水性能を高めるものは、特開２００７−２７９４９８号公報、特開２００７−２２５６６９号公報等にも記載されている。また、防水パッキンの形状を工夫することで、防水性能を高めるものが、特開２００６−２５２７６号公報に記載されている。
【特許文献１】特開２００７−２７９４９８号公報
【特許文献２】特開２００７−２２５６６９号公報
【特許文献３】特開２００６−２５２７６号公報
【発明の開示】
【発明が解決しようとする課題】
【００１７】
上述したように蓋体９６の作製には、本体部９６１及びヒンジ部９６３を一体化するために二色成型を用いて作製しているが、二色成型は特殊且つ高度な成型方法であるため、製造が容易ではない。また、本体部９６１とヒンジ部９６３との接合部は異材接合部であり、強度が弱い場合が多く、本体部９６１とヒンジ部９６３とが分離してしまうことがある。ヒンジ部９６３が分離してしまうと、蓋体９６を凹部１２１より取り外したときに、蓋体９６が筐体１より脱落してしまい、紛失してしまう恐れがある。また、分離されたヒンジ部９６３が筐体１の内部に残ってしまい、内部に配置された部材と干渉して、動作不良や故障の原因となってしまうことがある。
【００１８】
そこで、本体部９６１及びヒンジ部９６３を同じ材料で成型することで作製する方法も考えられるが、上述の本体部９６１と同じ材料でヒンジ部を含む蓋体を作成した場合、ヒンジ部が弾性変形しにくくなってしまい、ヒンジ部を屈曲させて使用する使用方法には不適当となる。
【００１９】
また、上述のヒンジ部９６３と同じ材料で本体部を含む蓋体を作成した場合、蓋体９６を凹部１２１に嵌合されているときに外部に露出した部分が、筐体１と異なる材質のものとなるので、デザイン性が低くなる。また、ヒンジ部に用いられるエラストマー、シリコンゴムは成形が難しく、本体部及びヒンジ部をヒンジ部９６３と同じ材料で作製すると、複雑な形状となるので製造が困難である。さらに、本体部９６１が弾性変形するので、凹部１２１に取り付けるために押し込むことで本体部が変形し、防水パッキン９６２を凹部１２１の側部に押し付ける力が弱くなるので、防水性能が低下する恐れもある。
【００２０】
そこで本発明は、容易に開閉することができるとともに、ヒンジ部の破損を抑制し、水の浸入を防ぐとともに、筐体から分離されるのを防止できる防水蓋体を提供することを目的とする。
【００２１】
また本発明は、ヒンジ部に作用する力によって、蓋体の本体や防水パッキンが破損したり、変形してしまったりするのを抑制し、開閉を繰り返しても前記蓋体と前記蓋体が係合される凹部との間隙から水が浸入するのを抑制できる防水蓋体を提供することを目的とする。
【課題を解決するための手段】
【００２２】
上記課題を解決するために本発明は、機器の外面に形成された開口部に着脱可能に係合される防水蓋体であって、本体部と、前記本体部の外周に少なくとも一部が前記外周より突出されて配置された防水パッキンと、前記開口部の内側に形成されている係合部に摺動又は回動の少なくとも一方が可能となるように係合された柱形状のヒンジ部とを有し、前記本体部は外面側に配置された外側部材と、内面側に配置された内側部材とを組み合わせることで形成されており、前記防水パッキンと前記ヒンジ部とは連結部を介して一体成形されており、前記連結部が前記外側部材と前記内側部材に挟まれて固定されているとともに、前記ヒンジ部が前記内側部材を貫通している。
【００２３】
この構成によると、前記防水パッキンと前記ヒンジ部とを一体成形にて製造されるので、製造に要する工程を減らすことができる。また、前記防水パッキンと前記ヒンジ部との間に介される連結部を、前記外側部材と前記内側部材とで挟んで固定するので、前記ヒンジ部に作用する力が前記防水パッキンに伝達されるのを抑制することができるので、前記防水パッキンの変形や破損が発生するのを抑制することができる。
【００２４】
これにより、防水パッキンと前記開口部との間の接触圧力及び接触面積が減少し、防水性が失われる不具合が発生するのを抑制することが可能である。また、防水パッキンに無理な力がかかりにくく、前記防水蓋体の開閉がし易く、前記防水蓋体を繰り返し開閉しても防水性が失われにくい。
【００２５】
上記構成において、前記外側部材と前記内側部材とがねじにて締結されており、前記ねじが前記連結部を貫通しているものとしてもよい。
【００２６】
また上記構成において、前記内側部材の前記外側部材と接触する面の周縁部は段差が形成されており、前記防水パッキンが前記段差に圧入されている物であってもよい。
【００２７】
さらに上記構成において、前記係合部は前記ヒンジ部が貫通する貫通孔を有しており、前記ヒンジ部の先端には、前記ヒンジ部が軸方向に摺動するときに前記貫通孔と当接し前記ヒンジ部が抜けるのを抑制する抜け止め部が一体連結されているものであってもよい。
【００２８】
また上記構成において、前記抜け止め部は前記ヒンジ部の中心軸に垂直な断面の断面形状と同じ形状を有しており、前記抜け止め部は先端がヒンジ部の前記断面と同じか小さいテーパー形状を有しているものであってもよい。
【００２９】
また上記構成において、前記ヒンジ部は前記抜け止め部が前記貫通孔の辺縁部と当接したときに、前記本体部の全体が前記機器の外壁面より外側に位置される長さで形成されているものであってもよい。また、前記ヒンジ部が円柱形状であってもよい。
【発明の効果】
【００３０】
本発明によると、容易に開閉することができるとともに、ヒンジ部の破損を抑制し、水の浸入を防ぐとともに、筐体から分離されるのを防止できる。
【００３１】
また本発明によると、ヒンジ部に作用する力によって、蓋体の本体や防水パッキンが破損したり、変形してしまったりするのを抑制し、開閉を繰り返しても前記蓋体と前記蓋体が係合される凹部との間隙から水が浸入するのを抑制することができる。
【発明を実施するための最良の形態】
【００３２】
以下に、本発明の実施の形態について図面を参照して説明する。
【００３３】
図１は本発明にかかる防水蓋体を備えた電子機器の一例であるＴＶ受像機の斜視図であり、図２は図１に示す電子機器の拡大断面図であり、図３は蓋体が係合される凹溝を示す図である。図１、図３に示すように、ＴＶ受像機Ａは、筐体１と、液晶表示装置２と、ヘッドフォン端子３と、充電用端子４と、メモリカードスロット５と、蓋体６とを有している。
【００３４】
図１、図２に示すように、筐体１は、樹脂製の正面部材１１と、樹脂製の背面部材１２とを有しており、正面部材１１と背面部材１２とを組み合わせた箱形状を有している。正面部材１１と背面部材１２との接合部には、防水パッキン１３が配置されており、正面部材１１と背面部材１２と隙間から筐体１の内部に水が浸入するのを抑制している。防水パッキン１３は正面部材１１と背面部材１２とで挟まれて変形することで、正面部材１１及び背面部材１２との接触面積が増えるとともに、接触圧力が大きくなり、防水性が実現されている。防水パッキン１３は水密で弾性変形可能な材料で形成されていることが好ましく、エラストマー、シリコンゴム等の弾性を有する樹脂材料で形成されるものを挙げることができる。
【００３５】
正面部材１１には窓部１１１が形成されており、窓部１１１は透明なカバー部材で覆われて窓部１１１より水が浸入するのが抑制される。窓部１１１より液晶表示装置２の画像表示部を観賞することができるように、液晶表示装置２が筐体１の内部に配置されている。
【００３６】
図３に示すように、背面部材１２の側部には長手方向両端部が円弧状に形成された楕円形の開口部１２２及び同形状の底面１２３を有する凹部１２１が形成されている。底面１２３にはヘッドフォン端子３、充電用端子４及びメモリカードスロット５が配置されているとともに、蓋体６の後述するヒンジ部６３が貫通するヒンジ孔１２４が形成されている。また、底面１２３のヒンジ孔１２４と反対側には蓋体６をロックするためのロック孔１２５が形成されている。ロック孔１２５の詳細については後述する。
【００３７】
蓋体６が開口部１２２に嵌合されることで、凹部１２１に水が浸入するのを防ぐことが可能である。蓋体６について図面を参照して詳しく説明する。図４は本発明にかかる防水蓋体の一例の外面側斜視図であり、図５は図４に示す蓋体の内面側斜視図であり、図６は図４に示す蓋体の外面側から見た分解斜視図であり、図７は図４に示す蓋体の内面側から見た分解斜視図である。
【００３８】
図４、図５に示すように、蓋体６は外側部材６１と、外側部材６１と重ねることができる形状の内側部材６２と、防水パッキン６３と、ヒンジ部６４と、ロッキング部７とを備えている。外側部材６１と内側部材６２は筐体１の背面部材１２と同じ樹脂で成型されており、組み合わせることで本体部６０を形成している。外側部材６１は蓋体６が開口部１２２に嵌合されたときに外側に面する部材であり、内側部材６２は内側（底面１２３）に面する部材である。
【００３９】
図７に示すように、外側部材６１と内側部材６２とはねじＳｃで固定されており、外側部材６１は３個の雌ねじ穴６１１と、ロッキング部７の外部側が係合された外部ロッキング係合部６１２と、ロッキング部７が貫通する外部ロッキング孔６１３とを有している。雌ねじ穴６１１は外側部材６１の内側に形成された貫通しない穴であり、雌ねじ穴６１１より内部に水が浸入することはない。
【００４０】
外部ロッキング係合部６１２及び外部ロッキング孔６１３とは同一中心軸上に形成されており、その中心が外側部材６１の端部に形成された円弧形状の局面の局率中心と一致するように形成されている。また、外側部材６１の内側には、ヒンジ部６４の台座部６４１が係合する係合穴６１４が形成されている。係合穴６１４も雌ねじ穴６１１と同様貫通しない穴である。
【００４１】
図６、図７に示すように、内側部材６２は平板状の平板部６２０と、平板部６２０の周縁部より内側に一体突設された外周リブ６２１と、平板部６２０に形成され、ねじＳｃが貫通するねじ孔６２２と、平板部６２０の内側に形成されロッキング部７が係合された内部ロッキング係合部６２３と、内部ロッキング係合部６２３の底面に形成されロッキング部７が貫通する内部ロッキング孔６２４と、ヒンジ部６４が貫通されるとともに保持されるヒンジ保持部６２５とを有している。
【００４２】
平板部６２０の外形が外側部材６１よりも小さく形成されているとともに、外周リブ６２１の外形が外側部材６１と同じ大きさで重ねることができるように形成されている。平板部６２０と外周リブ６２１との接続部は段差６２６が形成されている。
【００４３】
ねじ孔６２２はねじＳｃの外径よりも大きく、ねじＳｃの頭の外形よりも小さな貫通孔である。１個のねじ孔６２２は蓋体６の中央部近くに形成されており、残りの２個のねじ孔６２２はヒンジ保持部６２５を挟むように形成されている。外側部材６１と内側部材６２とを組み合わせたとき、ねじ孔６２２と雌ねじ穴６１１とが重なる。
【００４４】
図７に示すように、内部ロッキング係合部６２３は、平板部６２０の内側に形成された、外周リブ６２１の湾曲部と湾曲部と対向して形成された曲面リブとに囲まれた円柱状の第１凹部６２３０を有している。第１凹部６２３０の内壁面には、内側部材６２の長手方向にと直交する線上に対向配置された一対の第１凹欠６２３１と、一対の第１凹欠６２３１を結ぶ線と直交する線上に対向配置された一対の第２凹欠６２３２とを有している。また、本体部の外側には第１凹部６２３０よりも内径が小さな円柱状の第２凹部６２３３を備えている（図６参照）。
【００４５】
内部ロッキング孔６２４は内部ロッキング係合部６２３の底面の中央に形成された円柱状の貫通孔である。外側部材６１と内側部材６２とを組み合わせたとき、内部ロッキング孔６２４の中心と外部ロッキング孔６１３の中心とが重なるように、内部ロッキング係合部６２３及び内部ロッキング孔６２４は形成されている。
【００４６】
ヒンジ保持部６２５は、箱型の形状を有しており、中央部にヒンジ部６４を貫通させるためのヒンジ貫通孔６２５１が形成されている。ヒンジ保持部６２５は平板部６２０より内部側に隆起した形状を有している。
【００４７】
防水パッキン６３は平行な一対の直線部６３１と、直線部６３１の両端部に連結された一対の湾曲部６３２とを有している。直線部６３１と湾曲部６３２とは一体的に形成されているものであり、防水パッキン６３は環状に形成されている。
【００４８】
防水パッキン６３は、水密で弾性変形可能な材料で形成されていることが好ましく、断面円形状のエラストマー、シリコンゴム等の弾性を有する樹脂材料で形成されるものを挙げることができる。なお、防水パッキン６３の断面形状は円形状に限定されるものではなく、楕円、矩形等でも良い。しかしながら、防水パッキン６３が引っ張られたり、圧縮されたりした場合でも、断面形状が崩れにくい円形断面が好ましい。
【００４９】
ヒンジ部６４は、円柱状の本体部６４０と、本体部６４０の根元部と一体成型された直方体形状の台座部６４１と、本体部６４０の先端部に一体的に連結され本体部６４０の外径よりも大きな外径の部分を有する抜け止め部６４２と、台座部６４１の本体部６４０と反対側と一体成型された連結部６４３と、連結部６４３に形成され、ねじＳｃが貫通するねじ孔６４４とを有している。抜け止め部６４２は先端部側が小径で根元部側に向かって大径となるように広がる円錐台形状である。
【００５０】
ヒンジ部６４は防水パッキン６３とは一体成型にて作製されており、連結部６４３は防水パッキン６３の湾曲部６３２の一方の内周部と一体成型されている。
【００５１】
ロッキング部７は、外側に面して配されるハンドル部材７１と、内側に面して配されるロック部材７２と、水密パッキン７３と、固定ねじ７４とを有している。ハンドル部材７１は円柱状のつまみ部７１１と、つまみ部の中央より突出された貫通部７１２と、貫通部７１２のつまみ部７１１と反対側に開口する雌ねじ穴７１３とを有している。
【００５２】
ロック部材７２は円板部７２１と、円板部７２１外周部に径方向反対側に向かって突出された一対の突出部７２２と、円板部７２１の中心に一体突設された接続部７２３と、接続部７２３の先端に連結され一対の突出部７２２を結ぶ線と直交するように配置された直方体形状のかんぬき部７２４と、円板部７２１、接続部７２２及びかんぬき部７２４とを貫通するねじ孔７２５とを備えている。
【００５３】
円板部７２１は外周が内部ロッキング係合部６２３の内周と接触する大きさで形成されている。一対の突出部７２２は内部ロッキング係合部６２３の第１凹欠６２３１及び第２凹欠６２３２と係合可能な形状を有している。また、突出部７２２が形成されている部分の近傍には、円周方向に延びる変形用貫通孔７２６が形成されている。
【００５４】
防水パッキン６３及びヒンジ部６４について詳しく説明する。図８は本発明にかかる防水蓋体に用いられる防水パッキン及びヒンジ部を示す図である。防水パッキン６３とヒンジ部６４とは一体に形成されるものである。防水パッキン６３及びヒンジ部６４は弾性変形可能で水密なものが好ましく、それには限定されないが、ここでは、シリコンゴムで作製される。図８に示すようにヒンジ部６４は本体部６４０が防水パッキン６３の直線部６３１と平行となるように一体成型にて製造される。このようにヒンジ部６４を形成することで、図６、図７等に示すような防水パッキン６３とヒンジ部６４とが直交する状態で成型するよりも、金型を小さくすることができ、無駄を減らすことが可能である。
【００５５】
図８に示す防水パッキン６３及びヒンジ部６４の一体成型体のヒンジ部６４の連結部６４３と台座部６４１との接続部を折り曲げることで図６、図７等に示すような防水パッキン６３とヒンジ部６４の一体成型体とすることが可能である。なお、ヒンジ部６４はシリコンゴムで形成されており、折り曲げても破損しにくい。
【００５６】
蓋体６についてさらに詳しく説明する。図９は本発明にかかる防水蓋体の内側からみた平面図であり、図１０は図９に示す蓋体のＸ−Ｘ断面図であり、図１１は図９に示す蓋体のＹ−Ｙ断面図である。
【００５７】
図９、図１０、図１１等に示すように、外側部材６１と内側部材６２の間に防水パッキン６３が配置されている。蓋体６は次のようにして組み立てられる。防水パッキン６３とヒンジ部６４の一体成型体のヒンジ部６４を連結部６４３と台座部６４１との接続部で折り曲げる。防水パッキン６３を段差６２６に嵌合させるとともに、ヒンジ部６４をヒンジ保持部６２５に保持させる。このとき、ヒンジ部６４の本体部６４０及び抜け止め部６４２はヒンジ貫通孔６２５１に挿入され、台座部６４１がヒンジ保持部６２５と係合される。
【００５８】
そして、外側部材６１の内部側と内側部材６２の外部側とが当接するように外側部材６１と内側部材６２とを組み合わせる。このとき、防水パッキン６３は段差６２６と外側部材６１とで３方を囲まれる。また、ヒンジ部６４は台座部６４１が外側部材６１の係合穴６１４の内部に挿入、係合される。
【００５９】
この状態でねじＳｃを内側部材６２のねじ孔６２２を貫通させ、外側部材６１の雌ねじ穴６１１と螺合させる。このとき、防水パッキン６３が外側部材６１と内側部材６２によって押圧される。防水パッキン６３は押圧されることで変形され、一部が蓋体６の外周より外側に押し出される。また、防水パッキン６３は変形により、外側部材６１及び段差６２６との接触面積が大きくなっているとともに、接触圧力が高くなっているので、防水パッキン６３と外側部材６１及び段差６２６との間隙からは水が浸入しにくくなっている。
【００６０】
ねじＳｃのひとつがヒンジ部６４の連結部６４３に形成されたねじ孔６４４を貫通しており、連結部６４４は外側部材６１と内側部材６２とに挟まれて、強固に固定される。また、上述したようにねじはヒンジ保持部６２５を挟むように配置されており、ヒンジ部６４はヒンジ保持部６２５に強固に保持される。これにより、ヒンジ部６４に強い力が作用した場合であっても、一体成型されている防水パッキン６３に力が伝達されるのを抑制することができ、防水パッキン６３の変形を抑制することが可能である。また、防水パッキン６３の変形による水の浸入を抑制することができる。
【００６１】
そして、外側部材６１の外部ロッキング孔６１３にロッキング部７の貫通部７１２を貫通させ、つまみ部７１１を外部ロッキング係合部６１２と係合させる。貫通部７１２は内側部材６２の内部ロッキング孔６２４も貫通している。内側部材６２の内部ロッキング係合部６２３にロック部材７２を配置し、ねじ孔７２５よりねじ７４が貫通され、ハンドル部材７１の雌ねじ穴７１３と螺合されて、固定されている。
【００６２】
ロッキング部７は貫通部７１２に水密パッキン７３が取り付けられており、水密パッキン７３は第２凹部６２３３に嵌め込まれている。水密パッキン７３はねじ７４を締めてハンドル部材７１とロック部材７２とが接近するときに、つまみ部７１１にて押されて、第２凹部６２３３に押し込まれる。水密パッキン７３は断面円形状であるが、貫通部７１２と第２凹部６２３３とで挟まれて変形している。水密パッキン７３は変形により、貫通部７１２及び第２凹部６２３３との接触面積が大きくなっているとともに、接触圧力が高くなっているので、水密パッキン７３と貫通部７１２及び第２凹部６２３３おの間隙からは水が浸入しにくくなっている。
【００６３】
ロッキング部７は水密パッキン７３が貫通部７１２及び第２凹部６２３３と圧接されているので、摩擦抵抗が大きくなっているが、蓋体６に回動可能に支持されている。この摩擦抵抗が大きくなっていることより、蓋体６のロック動作時以外での不意の回動を抑制することが可能である。
【００６４】
また、ロッキング部７は突出部７２２が内部ロッキング係合部６２３の第１凹欠７２３１又は第２凹欠７２３２と係合したときに、円板部７２１の外周部が内部ロッキング係合部６２３の内壁面と接触するように形成されている。ロッキング部７が回動されると、突出部７２２が内部ロッキング係合部６２３の内壁面に押されて変形し、変形用貫通孔７２６側に凹む。このように変形用貫通孔７２６が変形されることで、突出部７２２が第１凹欠７２３１又は第２凹欠７２３２から円滑に脱出することが可能である。なお、突出部７２２はそれには限定されないが、円板部７２１の周方向に曲面を備えた形状であることが好ましい。
【００６５】
また、ロッキング部７を所定角度回転させることで、突出部７２２が第１凹欠７２３１又は第２凹欠７２３２に係合される。このとき、ロッキング部７を回動させているユーザはロッキング部７より軽い衝撃（クリック感）を感じるので、かんぬき部７２５を目視することができなくてもロッキング部７の角度を調整することが可能である。
【００６６】
以上のようにして蓋体６は組み立てられる。次に、組み立てられた蓋体６をＴＶ受像機の筐体１に組み付ける手順、蓋体６を使用する手順について図面を参照して説明する。図１２は図１に示すＴＶ受像機の筐体への防水蓋体の取り付けを模式的に示す断面図であり、図１３は図１２に示す防水蓋体構造の拡大断面図である。
【００６７】
図１２、図１３に示すように、ヒンジ部６４を背面部材１２の底面１２３に形成されたヒンジ孔１２４に挿入することで、蓋体６は筐体１に組みつけられる。ヒンジ孔１２４はヒンジ部６４の本体部６４０の外径よりも大きく、抜け止め部６４２の最大外径よりも小さい内径を有する貫通孔である。ヒンジ部６４はヒンジ部６４の先端部がヒンジ孔１２４より筐体内部に押し込まれている。
【００６８】
抜け止め部６４２が弾性変形可能なシリコンゴムで先端側から根元側に広がる円錐台形状に形成されているので、ヒンジ部６４をヒンジ孔１２４に圧入することで、抜け止め部６４２は変形されつつヒンジ孔１２４を通過する。抜け止め部６４２がヒンジ孔１２４を通過すると、それまでヒンジ孔１２４によって圧縮変形されていた抜け止め部６４２が元の形状にもどる。これにより、ヒンジ部６４が外側に引っ張られても、抜け止め部６４２がヒンジ孔１２４に引っかかり、ヒンジ部６４がヒンジ孔１２４より抜け落ちてしまうのを抑制することが可能である。
【００６９】
図１３に示すように、ロック孔１２５は底面部１２３の長手方向に伸びる長方形状の貫通孔である。ロック孔１２５はロッキング部７のロック部材７２のかんぬき部７２４が貫通することができる形状及び大きさである。ロック孔１２５より挿入されたかんぬき部７２４はロッキング部７を回転させることで、かんぬき部７２４とロック孔１２５とが所定の角度ずれ、かんぬき部７２４はロック孔１２５より抜けなくなる。
【００７０】
図１３に示すように、背面部材１２の凹部１２１は開口部１２２の面積が大きく底面１２３側に行くにしたがって面積が小さくなるように傾斜した側面を有している。凹部１２１の奥（底面１２３側）に蓋体６を移動させる。これにより、防水パッキン６３の蓋体６の外周よりもはみ出した部分が凹部１２１の内壁面と当接される。蓋体６をさらに凹部１２１の奥側に押し込むことで、防水パッキン６３は凹部１２１の内壁面と蓋体６とで圧迫されて変形する。
【００７１】
防水パッキン６３が変形することで、防水パッキン６３と凹部１２１の内壁面との接触面積が大きくなるとともに、接触圧力が高くなる。これにより、防水パッキン６３と凹部１２１の内壁面との間隙より凹部１２１の底面１２３側に水が浸入するのを抑制することができる。
【００７２】
蓋体６は以下のようにして、筐体１の背面部材１２に固定される。ロッキング部７はロック部材７２の突出部７２２が内部ロッキング係合部６２３の第１凹欠６２３１と係合しているときに、かんぬき部７２４の長手方向と蓋体６の長手方向とが平行になっている。突出部７２２が内部ロッキング係合部６２３の第１凹欠６２３１と係合した状態で、凹部１２１にヒンジ部６４の本体部６４０がヒンジ孔１２４より筐体内部側に移動するように蓋体６を移動させる。蓋体６は凹部１２１の奥（底面１２３）側移動する。これにより、蓋体６の防水パッキン６３が蓋体６及び凹部１２１の内壁面に圧迫されて上述したように変形し、蓋体６と凹部１２１の間隙からみ図が進入するのを防ぐ状態いわゆる防水状態となる。このとき、かんぬき部７２４はロック孔１２５を貫通して、筐体１の内部に侵入している。
【００７３】
そして、ロッキング部７を回動させ、突出部７２２を第２凹欠６２３２に係合させる。これにより、かんぬき部７２４が９０度回転し、かんぬき部７２４はロック孔１２５に対して９０度傾いた状態になり、ロック孔１２５から抜けるのが抑制されている。このとき、防水パッキン６３が蓋体６と凹部１２１の内壁面とで圧迫され、内壁面との接触面積が大きくなるとともに接触圧力が大きくなっており、蓋体６と凹部１２１との間隙より水が浸入するのを抑制している。
【００７４】
なお、蓋体６を凹部１２１に係合させ、ロッキング部７にてロックした状態では、蓋体６の外側部材６１の外部と背面部材１２の側面とが同一面となるように形成されている。また、背面部材１２の内部側には、かんぬき部７２４がロック孔１２５に対して９０度傾いた位置に移動したときに、かんぬき部７２４と重なる位置に内側に突出する凸部が形成されていてもよい。凸部が形成されていることで、ロッキング部７のロック動作（回動）を行ったときに、かんぬき部７２４が凸部に乗り上げる。これにより、蓋体６が凹部１２１の底面１２３側に引っ張られるので、蓋体６の防水パッキン６３と凹部１２１の内壁面との隙間が発生するのを、抑制することができる。
【００７５】
蓋体６の使用方法について図面を参照して説明する。図１４は本発明にかかる防水蓋体を開く手順を順に示した図である。図１４（Ａ）は蓋体を引き抜いた時の斜視図であり、図１４（Ｂ）は蓋体を長時間開放するときの斜視図であり、図１４（Ｃ）は蓋体を短時間開放するときの斜視図である。図１４（Ａ）に示すように、まず、凹部１２１に係合されている蓋体６のロックをはずして、蓋体６を引っ張る。蓋体６が引っ張られることでヒンジ孔１２４より内部に収納されていたヒンジ部６４の本体部６４０が外部に引き出される。
【００７６】
このとき、蓋体６の本体部６０及び防水パッキン６３が外側に移動される。また、ヒンジ部６４もヒンジ穴１２４より抜け出てくる。ヒンジ部６４には先端に抜け止め部６４２が形成されており、抜け止め部６４２が底面１２１と接触することで、ヒンジ部６４はとまり、蓋体６の移動はとまる。このとき、本体部６０及び防水パッキン６３は、完全に筐体１の外側に露出する。本体部６０及び防水パッキン６３はヒンジ部６４を中心に回転することが可能である。
【００７７】
たとえば、ヘッドフォン端子にヘッドフォンを接続する場合や充電端子に充電装置を接続するといった、開口部１２２を長時間開放しなくてはならない場合には、図１４（Ｂ）に示すように、蓋体６が邪魔にならないように引き上げた本体部６０をヒンジ部６４を軸にして回転させる。これにより、蓋体６がヘッドフォン端子３の邪魔にならないように、底面１２２を露出させることができる。これにより、ヘッドフォンをヘッドフォン用端子４に容易に接続することができる。また、ヒンジ部６４に無理な力をかけていないので蓋体６、筐体１等が変形したり、破損したりする不具合を抑制することが可能である。
【００７８】
一方、メモリカードスロット５へのメモリカードの着脱動作のような短時間で完了する動作の場合、メモリカードの挿入／排出の間だけ蓋体６をメモリカードスロット５よりずらすだけでよい。この場合、図１４（Ｃ）に示すように、ヒンジ部６４の本体部６４０をたわませて、底部１２３に配置されたメモリカードスロット５を露出させればよい。このように蓋体６を開放した状態で、メモリカードスロット５を挿入、排出させることが可能である。
【００７９】
なお、ヒンジ部６４は弾性変形可能な材料で形成されているので、ヒンジ部６４の本体部６４０がたわむように蓋体６を開けた場合であっても、ヒンジ部６４は破損しにくい。また、ヒンジ部６４は台座部６４１を強固に固定されているので、ヒンジ部６４の変形により作用される力（応力）が本体６０、筐体１及び防水パッキン６３に伝播されるのを抑制することができる。これにより、ヒンジ部６４の変形によって、本体部６０及び防水パッキン６３が変形したり、破損したりして防水性能が低下するのを抑制することができる。
【００８０】
以上のように、防水パッキン６３とヒンジ部６４とを一体で形成することで、製造に必要な金型が１つで済む。また、防水パッキン６３とヒンジ部６４とを製造するときにヒンジ部６４が防水パッキン６３の直線部６３１と並ぶように形成されているので、金型を小型化することが可能である。これにより、金型が１つでしかも小型化できるので製造にかかるコストを低減することが可能である。
【００８１】
また、防水パッキン６３とヒンジ部６４とが連結部６４３を介して連結されており、蓋体６の本体部６０に取り付けられるときには、連結部６４３をねじＳｃが貫通し、連結部６４３が強固に保持されている。これにより、防水パッキン６３又はヒンジ部６４の一方に、大きさ及び方向に関して想定外の力が作用した場合であっても他方の部材へ力が伝播するのを抑制することができる。ヒンジ部６４に力が作用することが多く、ヒンジ部６４に力が作用した場合であっても、防水パッキン６３の形状が変化したり、破損してしまったりするのを抑制することができる。防水パッキン６３の変形又は破損を抑止することで、水が浸入するのを抑制することができる。
【００８２】
上記実施形態において、蓋体６として両端部に半円柱が連結された直方体部材であるものを挙げているが、それに限定されるものではなく、直線部と両端の曲面部とが滑らかに接続されているものを広く採用することができる。しかしながら、防水パッキン６３は湾曲部において、軸方向又は径方向或いはその両方で均一又は略均一な応力状態になっていることが好ましく、曲面部が円形状であり、直線部と滑らかに接続されていることが好ましい。
【産業上の利用可能性】
【００８３】
本発明は、ＴＶ受像機、ラジオ、ＣＤ再生（／記録）装置、ＤＶＤ再生（／記録）装置等の屋外や浴室、プールサイド等の多湿な場所、水が付着する恐れのある場所で用いられる電子機器に適用することが可能である。
【図面の簡単な説明】
【００８４】
【図１】本発明にかかる防水蓋体を備えた電子機器の一例であるＴＶ受像機の斜視図である。
【図２】図１に示す電子機器の拡大断面図である。
【図３】蓋体が係合される凹溝を示す図である。
【図４】本発明にかかる防水蓋体の一例の外面側斜視図である。
【図５】図４に示す蓋体の内面側斜視図である。
【図６】図４に示す蓋体の外面側から見た分解斜視図である。
【図７】図４に示す蓋体の内面側から見た分解斜視図である。
【図８】本発明にかかる防水蓋体に用いられる防水パッキン及びヒンジ部を示す図である。
【図９】本発明にかかる防水蓋体の内側からみた平面図である。
【図１０】図９に示す蓋体のＸ−Ｘ断面図である。
【図１１】図９に示す蓋体のＹ−Ｙ断面図である。
【図１２】図１に示すＴＶ受像機の筐体への防水蓋体の取り付けを模式的に示す断面図であ
【図１３】図１２に示す防水蓋体構造の拡大断面図である。
【図１４】HYPERLINK  \l "#Hlk199816794" \s "1,14316,14343,0,,本発明にかかる防水蓋体を開く手順を順に示した図である。" 本発明にかかる防水蓋体を開く手順を順に示した図である。
【図１５】従来の電子機器の一例であるＴＶ受像機の斜視図である。
【図１６】図１５に示すＴＶ受像機で用いられている蓋体の平面図である。
【図１７】図１５に示すＴＶ受像機の断面図である。
【符号の説明】
【００８５】
Ａ  ＴＶ受像機
１  筐体
１１  正面部材
１１１  窓部
１２  背面部材
１２１  凹部
１２２  開口部
１２３  底面
１２４  ヒンジ孔
１２５  ロック孔
１３  防水パッキン
２  液晶表示装置
３  ヘッドフォン端子
４  充電用端子
５  メモリカードスロット
６  蓋体
６１  外側部材
６１１  雌ねじ穴
６１２  外部ロッキング係合部
６１３  外部ロッキング孔
６１４  係合穴
６２  内側部材
６２０  本体部
６２１  外周リブ
６２２  ねじ孔
６２３  内部ロッキング係合部
６２３０  第１凹部
６２３１  第１凹欠
６２３２  第２凹欠
６２３３  第２凹部
６２４  内部ロッキング孔
６２５  ヒンジ保持部
６２５１  ヒンジ貫通孔
６２６  段差
６３  防水パッキン
６３１  直線部
６３２  湾曲部
６４  ヒンジ部
６４０  本体部
６４１  台座部
６４２  抜け止め部
６４３  連結部
６４４  ねじ孔
７  ロッキング部
７１  ハンドル部材
７１１  つまみ部
７１２  貫通部
７１３  雌ねじ穴
７２  ロック部材
７２１  円板部
７２２  突出部
７２３  接続部
７２４  かんぬき部
７２５  ねじ孔
７２６  変形用貫通孔
７３  水密パッキン
７４  ねじ
【図１】
2009289638.tif 000003
【図２】
2009289638.tif 000004
【図３】
2009289638.tif 000005
【図４】
2009289638.tif 000006
【図５】
2009289638.tif 000007
【図６】
2009289638.tif 000008
【図７】
2009289638.tif 000009
【図８】
2009289638.tif 000010
【図９】
2009289638.tif 000011
【図１０】
2009289638.tif 000012
【図１１】
2009289638.tif 000013
【図１２】
2009289638.tif 000014
【図１３】
2009289638.tif 000015
【図１４】
2009289638.tif 000016
【図１５】
2009289638.tif 000017
【図１６】
2009289638.tif 000018
【図１７】
2009289638.tif 000019